【手続補正書】
【提出日】平成20年5月29日(2008.5.29)
【手続補正１】
【補正対象書類名】特許請求の範囲
【補正対象項目名】請求項１
【補正方法】変更
【補正の内容】
【請求項１】
遊技媒体を遊技領域に発射することにより遊技者が所定の遊技を行うことが可能であり、所定の入賞領域に遊技媒体が入賞したことにもとづいて景品として景品遊技媒体を払い出し、遊技者からの貸出要求を受け付けた貸出要求受付装置からの貸出要求信号にもとづいて遊技者に貸し出す貸出遊技媒体を払い出す遊技機であって、
前記遊技媒体を前記遊技領域に向けて発射する発射手段と、
前記入賞領域に遊技媒体が入賞したことを検出して入賞検出信号を出力する入賞検出手段と、
前記入賞検出手段からの入賞検出信号が入力され、遊技の進行を制御する遊技制御用マイクロコンピュータが搭載された遊技制御基板と、
前記景品遊技媒体および前記貸出遊技媒体の払い出しを行う払出手段と、
前記貸出要求受付装置が遊技機に接続されているか否かを判定するための貸出要求受付装置接続判定信号が入力可能であり、前記払出手段を制御する払出制御用マイクロコンピュータと、前記貸出要求受付装置からの前記貸出要求受付装置接続判定信号を前記払出制御用マイクロコンピュータに伝達するフォトカプラと、前記貸出要求受付装置から前記フォトカプラの間に接続されるコンデンサとが搭載された払出制御基板と、
遊技機で用いられる電源電圧の低下を検出したときに電圧低下検出信号を出力する電源監視手段と、
前記フォトカプラから伝達される前記貸出要求受付装置接続判定信号が伝達されていないときに、発射手段の動作を停止させる発射停止手段と、
前記遊技制御用マイクロコンピュータと前記払出制御用マイクロコンピュータとの間の信号の接続状態を監視する接続状態監視手段とを備え、
前記遊技制御用マイクロコンピュータは、
前記入賞領域に遊技媒体が入賞したことにもとづいて払い出すべき景品遊技媒体の数を特定可能な景品遊技媒体数データを記憶し、遊技機への電力供給が停止しても少なくとも所定期間は記憶内容を保持する遊技制御用記憶手段と、
前記入賞検出信号の入力に応じて、払い出すべき景品遊技媒体の数を特定可能な払出数データを前記払出制御用マイクロコンピュータに送信する払出数データ送信手段と、
前記払出数データ送信手段が払出数データを送信したことを条件に、前記景品遊技媒体数データから前記払出数データにより特定された払出数に対応する値を減算する減算処理を行う景品遊技媒体数データ減算手段と、
前記電源監視手段が遊技機で用いられる電源電圧の低下を検出したことに応じて、遊技の進行状態を示すデータを保存するための遊技制御側電力供給停止時処理を実行する遊技制御側電力供給停止時処理手段と、
遊技機への電力供給が開始され、所定の復旧条件が成立したときに、前記遊技制御用記憶手段に保存されていた遊技の進行状態を示すデータにもとづいて、遊技機への電力供給が停止したときの遊技の進行状態を復旧させる復旧処理を行う遊技制御側復旧手段とを含み、
前記払出制御用マイクロコンピュータは、
前記払出数データ送信手段により送信された払出数データにより特定された景品遊技媒体の払出数のうち未だ払い出されていない未払出の景品遊技媒体の数を示す未払出数データを記憶し、遊技機への電力供給が停止しても少なくとも所定期間は記憶内容を保持する払出制御用記憶手段と、
前記払出数データ送信手段により送信された払出数データにより特定された景品遊技媒体の払出数を前記払出制御用記憶手段に記憶された未払出数データに加算する未払出数データ加算手段と、
前記未払出数データによって示されている未払出の景品遊技媒体と、前記貸出要求受付装置からの貸出要求信号にもとづく貸出遊技媒体とを前記払出手段を制御して払い出させる払出制御を実行する遊技媒体払出制御手段と、
前記電源監視手段が遊技機で用いられる電源電圧の低下を検出したことに応じて、前記未払出数データを保存するための払出制御側電力供給停止時処理を実行する払出制御側電力供給停止時処理手段と、
遊技機への電力供給が開始され、所定の復旧条件が成立したときに、前記払出制御用記憶手段に保存されていた前記未払出数データにもとづいて払い出しを可能にする払出制御側復旧手段と、
前記フォトカプラからの前記貸出要求受付装置接続判定信号の伝達状態に応じて前記貸出要求受付装置接続判定信号の伝達状態を判定する伝達状態判定手段と、
前記伝達状態判定手段によって前記貸出要求受付装置接続判定信号が伝達されていないと判定されたときに、前記貸出要求受付装置が遊技機に接続されていないことを報知するための接続エラー報知処理を実行する接続エラー報知処理手段と、
前記接続状態監視手段が前記接続状態の異常を検出したときに、前記遊技媒体払出制御手段による景品遊技媒体の払出制御の実行を禁止する景品遊技媒体払出禁止手段とを含み、
前記払出制御基板と前記遊技制御基板の何れかに前記電源監視手段からの前記電圧低下検出信号が入力される信号入力部と、前記信号入力部に前記電圧低下検出信号が入力されたことを条件に所定の信号を他方の基板に出力する信号出力部が設けられた
ことを特徴とする遊技機。
【手続補正２】
【補正対象書類名】明細書
【補正対象項目名】００１０
【補正方法】変更
【補正の内容】
【００１０】
本発明による遊技機は、遊技媒体（例えば遊技球）を遊技領域に発射することにより遊技者が所定の遊技を行うことが可能であり、所定の入賞領域（例えば遊技領域に設けられている固定の入賞口２９，３０，３３，３９や可変入賞球装置１５）に遊技媒体が入賞したことにもとづいて景品として景品遊技媒体を払い出し、遊技者からの貸出要求を受け付けた貸出要求受付装置（例えばカードユニット５０）からの貸出要求信号にもとづいて遊技者に貸し出す貸出遊技媒体を払い出す遊技機であって、遊技媒体を遊技領域に向けて発射する発射手段（例えば発射モータ９４）と、入賞領域に遊技媒体が入賞したことを検出して入賞検出信号を出力する入賞検出手段（例えば入賞口スイッチ２９ａ，３０ａ，３３ａ，３９ａやカウントスイッチ２３）と、入賞検出手段からの入賞検出信号が入力され、遊技の進行を制御する遊技制御用マイクロコンピュータ（例えば遊技制御用マイクロコンピュータ５６０）が搭載された遊技制御基板（例えば主基板３１）と、景品遊技媒体および貸出遊技媒体の払い出しを行う払出手段（例えば球払出装置９７）と、貸出要求受付装置が遊技機に接続されているか否かを判定するための貸出要求受付装置接続判定信号（例えばＶＬ信号）が入力可能であり、払出手段を制御する払出制御用マイクロコンピュータ（例えば払出制御用マイクロコンピュータ３７０）と、貸出要求受付装置からの貸出要求受付装置接続判定信号を払出制御用マイクロコンピュータに伝達するフォトカプラ（例えばフォトカプラ１５１）と、貸出要求受付装置からフォトカプラの間に接続されるコンデンサ（例えばコンデンサ１５３，１５４）とが搭載された払出制御基板（例えば払出制御基板３７）と、遊技機で用いられる電源電圧の低下を検出したときに電圧低下検出信号（例えば電源断信号）を出力する電源監視手段（例えば電源監視回路９２０）と、フォトカプラから伝達される貸出要求受付装置接続判定信号が伝達されていないときに、発射手段の動作を停止させる発射停止手段（例えば、フォトカプラ１５１からの出力信号と発射制御信号とが入力側に入力され、出力側から発射モータ９４の制御信号を出力するＡＮＤ回路９１）と、遊技制御用マイクロコンピュータと払出制御用マイクロコンピュータとの間の信号の接続状態を監視する接続状態監視手段（例えば、払出制御用マイクロコンピュータ３７０におけるステップＳ５４３，ステップＳ５６２，ステップＳ８１５の処理を実行する部分）とを備え、遊技制御用マイクロコンピュータが、入賞領域に遊技媒体が入賞したことにもとづいて払い出すべき景品遊技媒体の数を特定可能な景品遊技媒体数データを記憶し（例えばステップＳ２２１，Ｓ２２２の処理）、遊技機への電力供給が停止しても少なくとも所定期間は記憶内容を保持する遊技制御用記憶手段（例えばバックアップ電源によって電源バックアップされたＲＡＭ５５）と、入賞検出信号の入力に応じて、払い出すべき景品遊技媒体の数を特定可能な払出数データ（例えば賞球個数信号）を払出制御用マイクロコンピュータに送信する払出数データ送信手段（例えば、遊技制御用マイクロコンピュータ５６０におけるステップＳ２５４，Ｓ２５５の処理を実行する部分）と、払出数データ送信手段が払出数データを送信したことを条件に、景品遊技媒体数データから払出数データにより特定された払出数に対応する値を減算する減算処理を行う景品遊技媒体数データ減算手段（例えば、遊技制御用マイクロコンピュータ５６０におけるステップＳ２５４，Ｓ２５５の処理の後にステップＳ２５６の処理を実行する部分）と、電源監視手段が遊技機で用いられる電源電圧の低下を検出したことに応じて、遊技の進行状態を示すデータ（例えば特別図柄プロセスフラグ等）を保存するための遊技制御側電力供給停止時処理を実行する遊技制御側電力供給停止時処理手段（例えば、遊技制御用マイクロコンピュータ５６０におけるステップＳ４５４〜Ｓ４８１の処理を実行する部分）と、遊技機への電力供給が開始され、所定の復旧条件（例えば、クリアスイッチが押下されない、バックアップ監視タイマの値が保存されている、パリティチェック結果が正常）が成立したときに（例えば、ステップＳ７で「Ｎ」かつステップＳ８，Ｓ９で「Ｙ」となったとき）、遊技制御用記憶手段に保存されていた遊技の進行状態を示すデータにもとづいて、遊技機への電力供給が停止したときの遊技の進行状態を復旧させる復旧処理を行う遊技制御側復旧手段（例えば、遊技制御用マイクロコンピュータ５６０におけるステップＳ８，Ｓ９，Ｓ９１〜Ｓ９４の処理を実行する部分）とを含み、払出制御用マイクロコンピュータが、払出数データ送信手段により送信された払出数データにより特定された景品遊技媒体の払出数のうち未だ払い出されていない未払出の景品遊技媒体の数を示す未払出数データを記憶し、遊技機への電力供給が停止しても少なくとも所定期間は記憶内容を保持する払出制御用記憶手段（例えば、電源バックアップされている払出制御用マイクロコンピュータ３７０におけるＲＡＭ、特にＲＡＭに形成されている賞球未払出個数カウンタ）と、払出数データ送信手段により送信された払出数データにより特定された景品遊技媒体の払出数を払出制御用記憶手段に記憶された未払出数データに加算する未払出数データ加算手段（例えば、払出制御用マイクロコンピュータ３７０におけるステップＳ５４５の処理を実行する部分）と、未払出数データによって示されている未払出の景品遊技媒体と、貸出要求受付装置からの貸出要求信号にもとづく貸出遊技媒体とを払出手段を制御して払い出させる払出制御を実行する遊技媒体払出制御手段（例えば、払出制御用マイクロコンピュータ３７０におけるステップＳ６２３〜Ｓ６２６，ステップＳ６３１〜Ｓ６３５，Ｓ６２７の処理を実行する部分）と、電源監視手段が遊技機で用いられる電源電圧の低下を検出したことに応じて、未払出数データを保存するための払出制御側電力供給停止時処理を実行する払出制御側電力供給停止時処理手段（例えば、払出制御用マイクロコンピュータ３７０におけるステップＳ９１１〜Ｓ９３１の処理を実行する部分）と、遊技機への電力供給が開始され、所定の復旧条件（例えば、クリアスイッチが押下されない、バックアップ監視タイマの値が保存されている、パリティチェック結果が正常）が成立したときに（例えば、ステップＳ７０８で「Ｎ」かつステップＳ７０９，Ｓ７１０で「Ｙ」となったとき）、払出制御用記憶手段に保存されていた未払出数データにもとづいて払い出しを可能にする払出制御側復旧手段（例えば、払出制御用マイクロコンピュータ３７０におけるステップＳ７１１の処理を実行する部分）と、フォトカプラからの貸出要求受付装置接続判定信号の伝達状態に応じて貸出要求受付装置接続判定信号の伝達状態を判定する伝達状態判定手段（例えば、払出制御用マイクロコンピュータ３７０におけるステップＳ８２５の処理を実行する部分）と、伝達状態判定手段によって貸出要求受付装置接続判定信号が伝達されていないと判定されたときに、貸出要求受付装置が遊技機に接続されていないことを報知するための接続エラー報知処理（例えばプリペイドカードユニット未接続エラーを報知する処理）を実行する接続エラー報知処理手段（例えば、払出制御用マイクロコンピュータ３７０におけるエラー表示用ＬＥＤ３７４に「８」を表示する処理を実行する部分）と、接続状態監視手段が接続状態の異常を検出したときに（例えばステップＳ６２１のＹ）、遊技媒体払出制御手段による景品遊技媒体の払出制御の実行を禁止する景品遊技媒体払出禁止手段（例えば、払出制御用マイクロコンピュータ３７０におけるステップＳ６２１のＹと判定したときにステップＳ６３１〜ステップＳ６３５に移行することなく払出開始待ち処理を終了する処理を実行する部分）とを含み、払出制御基板と遊技制御基板の何れか（例えば払出制御基板３７）に電源監視手段からの電圧低下検出信号が入力される信号入力部（例えば入力ポート２、図３１参照）と、信号入力部に電圧低下検出信号が入力されたことを条件に所定の信号を他方の基板（例えば主基板３１）に出力する信号出力部（例えば出力回路３７３Ｂ）が設けられたことを特徴とする。